(57)【要約】【課題】原稿等の加工及びコンピュータでのデータ加工・編集が必要なく、追加印刷したい原稿に対し非常に簡単に追加印刷する。【解決手段】原稿の画像を読み取るスキャナー部５を有し、このスキャナー部５で読み取った第１画像データと第２画像データとを比較回路２９で比較し、この比較によって異なった画像データの部分を追加データとして追加データ用記憶部３２に記憶し、この記憶した追加データに基づいて文字印刷を行う。また、追加データの部分をカバーする領域を領域特定部３０で特定し、この領域データを領域用記憶部３３に記憶し、この領域データに基づいて領域印刷を行う。【選択図】      図２
2004242002.tif 000002
【特許請求の範囲】
【請求項１】
原稿の画像を読み取るスキャナー部を有し、このスキャナー部で読み取った第１画像データと前記スキャナー部で読み取った第２画像データとを比較し、この比較によって異なった画像データの部分を追加データとして追加データ用記憶部に記憶し、この記憶した追加データに基づいて画像印刷を行うことを特徴とする印刷装置。
【請求項２】
請求項１記載の印刷装置であって、
前記第１画像データと前記第２画像データとを比較し、異なった画像データの部分をカバーする領域を特定し、この特定した領域データを領域用記憶部に記憶し、この記憶した領域データに基づいて特定した領域に光透過性インクによる領域印刷を行うことを特徴とする印刷装置。
【請求項３】
請求項２記載の印刷装置であって、
前記画像印刷と前記領域印刷とを選択する手段を有することを特徴とする印刷装置。
【請求項４】
請求項１〜請求項３記載の印刷装置であって、
前記追加データ用記憶部の他に、追加データを記憶する保存記憶部を有することを特徴とする印刷装置。
【請求項５】
請求項４記載の印刷装置であって、
前記追加データ用記憶部及び前記保存記憶部の中から印刷に使用する追加データを選択する手段を有することを特徴とする印刷装置。
【請求項６】
請求項４又は請求項５記載の印刷装置であって、
前記追加データより領域データを特定する領域特定部を有することを特徴とする印刷装置。
【請求項７】
請求項２〜請求項６記載の印刷装置であって、
前記スキャナー部で読み取った第２画像データを前記領域用記憶部に一時的に記憶することを特徴とする印刷装置。
【発明の詳細な説明】
【０００１】
【発明の属する技術分野】
本発明は、画像読み取り機能を有する印刷装置に関する。
【０００２】
【従来の技術】
画像読み取り機能を有する印刷装置を使用して、既に印刷されている原稿に対し、新たな印刷を追加する場合には、ユーザは追加印刷の部分のみの原稿を別途に作成する必要がある。かかる原稿は、原稿の必要な部分を切り抜いて作成するか、原稿の不要な部分を覆い隠すカバーを作成し、このカバーを原稿上において不要部分を隠す作業が必要であった。
【０００３】
また、他の手段としては、コンピュータを使用し、原稿の追加部分の電子データを編集・加工する方法もある。
【０００４】
【特許文献１】
特開２００２−７９７６６号公報
【０００５】
【特許文献２】
特開２００２−１９３４３号公報
【０００６】
【発明が解決しようとする課題】
しかしながら、前者の手段では、原稿の加工作業やカバーの作成作業等が必要であり、その作業が面倒である。特に、切り抜き等が不得手な人は、作業効率が悪い。
【０００７】
また、後者の手段では、コンピュータでのデータ加工・編集が面倒である。特に、コンピュータの操作が不得手な人は、作業効率が悪い。
【０００８】
そこで、本発明は、前記した課題を解決すべくなされたものであり、原稿等の加工及びコンピュータでのデータ加工・編集が必要なく、追加印刷したい原稿に対し非常に簡単に追加印刷することができる印刷装置を提供することを目的とする。
【０００９】
【課題を解決するための手段】
請求項１の発明は、原稿の画像を読み取るスキャナー部を有し、このスキャナー部で読み取った第１画像データと前記スキャナー部で読み取った第２画像データとを比較し、この比較によって異なった画像データの部分を追加データとして追加データ用記憶部に記憶し、この記憶した追加データに基づいて画像印刷を行うことを特徴とする。
【００１０】
この印刷装置では、追加書き込み前の原稿をスキャナー部で読み取らせて第１画像データを得ると共に、追加書き込みを行った原稿をスキャナー部で読み取らせて第２画像データを得て、この双方の画像データの比較によって追加データを抽出し、追加印刷したい原稿に対して上記追加データに基づく画像印刷を行うことができる。従って、２回の読み取り動作を行えば、追加印刷したい原稿に何度でも追加書き込みした部分を印刷できる。
【００１１】
請求項２の発明は、請求項１記載の印刷装置であって、前記第１画像データと前記第２画像データとを比較し、異なった画像データの部分をカバーする領域を特定し、この特定した領域データを領域用記憶部に記憶し、この記憶した領域データに基づいて特定した領域に光透過性インクによる領域印刷を行うことを特徴とする。
【００１２】
この印刷装置では、請求項１の発明の作用に加え、追加印刷した部分を透過性インクの層によって被うことができる。
【００１３】
請求項３の発明は、請求項２記載の印刷装置であって、前記画像印刷と前記領域印刷とを選択する手段を有することを特徴とする。
【００１４】
この印刷装置では、請求項２の発明の作用に加え、ユーザが作業手順を自由に選択できる。
【００１５】
請求項４の発明は、請求項１〜請求項３記載の印刷装置であって、前記追加データ用記憶部の他に、追加データを記憶する保存記憶部を有することを特徴とする。
【００１６】
この印刷装置では、請求項１〜請求項３の発明の作用に加え、一度に複数の追加データを保持できる。
【００１７】
請求項５の発明は、請求項４記載の印刷装置であって、前記追加データ用記憶部及び前記保存記憶部の中から印刷に使用する追加データを選択する手段を有することを特徴とする。
【００１８】
この印刷装置では、請求項４の発明の作用に加え、複数の追加データより所望の追加データを選択して追加印刷できる。
【００１９】
請求項６の発明は、請求項４又は請求項５記載の印刷装置であって、前記追加データより領域データを特定する領域特定部を有することを特徴とする。
【００２０】
この印刷装置では、請求項４又は請求項５の発明の作用に加え、追加データを保存しておけば、保存された追加データより領域を特定できるため、追加データの他に領域データ自体を保存する記憶部を別途設ける必要がない。
【００２１】
請求項７の発明は、請求項２〜請求項６記載の印刷装置であって、前記スキャナー部で読み取った第２画像データを前記領域用記憶部に一時的に記憶することを特徴とする。
【００２２】
この印刷装置では、請求項２〜請求項６の発明の作用に加え、第２画像データを一時的に記憶する記憶部を省略できる。
【００２３】
【発明の実施の形態】
以下、本発明の一実施形態を図面に基づいて説明する。
【００２４】
図１〜図１７は本発明の一実施形態を示し、図１は印刷装置の概略構成図、図２は印刷装置の回路ブロック図、図３は操作パネルの正面図、図４はデータの読み取りモードのフローチャート、図５は印刷モードのフローチャート、図６〜図９は読み取り動作時の各状態における表示部の表示内容をそれぞれ示す図、図１０〜図１４は印刷動作時の各状態における表示部の表示内容をそれぞれ示す図、図１５は追加書き込み前の原稿の正面図、図１６は追加書き込みした後の原稿の正面図、図１７は追加データの内容を示す図である。
【００２５】
図１に示すように、印刷装置１は、原稿Ｐ１，Ｐ２を搬送する原稿搬送経路２を有し、この原稿搬送経路２の近傍には上流側より下流側に向かって入口側紙センサ３、入口側搬送ロール４、スキャナー部５、加圧タイミング用紙センサ６、感熱ヘッド（ＴＰＨ）７とプラテンロール８、出口側搬送ロール９及び出口側紙センサ１０が配置されている。入口側搬送ロール４と出口側搬送ロール９は、原稿搬送部２０（図２に示す）の用紙搬送用駆動モータ（図示せず）によって回転駆動される。原稿搬送部２０の用紙搬送用駆動モータは、制御部２１（図２に示す）によって制御される。
【００２６】
スキャナー部５は、読み取りモード時において、原稿搬送経路２を搬送されてくる原稿Ｐ１，Ｐ２の画像データを読み取る。
【００２７】
感熱ヘッド７は、印刷の主走査方向の各ドット毎に発熱素子（図示せず）を有し、これら多数の発熱素子は制御部２１の制御によって選択駆動される。感熱ヘッド７は、プラテンロール８より離間する待機位置（図１の位置）とプラテンロール８に圧接する加圧位置との間で変移自在に設けられている。
【００２８】
プラテンロール８は、原稿搬送部２０のプラテン用モータ（図示せず）の駆動によって回転される。原稿搬送部２０のプラテン用駆動モータは、制御部２１（図２に示す）によって制御される。
【００２９】
入口側紙センサ３、加圧タイミング用紙センサ６及び出口側紙センサ１０は、各被検出ポイントでの原稿Ｐ１，Ｐ２の有無を検出し、その検出結果を制御部２１（図２に示す）に出力する。これらセンサ３，６，１０によって紙検出部２２（図２に示す）が構成されている。
【００３０】
リボンカセット１１は、装置本体（図示せず）に着脱自在に装着されており、インクリボン１２の一端側の供給リール１３と他端側の巻取リール１４とが装置本体側のリール駆動軸１５，１６にそれぞれ装着される。そして、供給リール１３と巻取リール１４との間には複数のガイドロール１７によって感熱ヘッド７とプラテンロール８との間を通るリボンパス系が形成されており、このリボンパス系に沿ってインクリボン１２が配置されている。インクリボン１２は、黒などの有色インクのものが使用されている。巻取リール１４側のリール駆動軸１６は、リボン搬送部２３のリボン巻取り用モータ（図示せず）によって回転される。リボン搬送部２３のリボン巻き取り用モータは、制御部２１によって制御される。
【００３１】
また、印刷装置１には、図３に示す操作パネル２４が設けられている。この操作パネル２４は、ユーザが入力するスイッチ部２５と液晶ディスプレイの表示部２６と有する。スイッチ部２５は、モード切替スイッチ２７と第１〜第３選択スイッチ２８ａ〜２８ｃとからなり、モード切替スイッチ２７は読み取りモードと印刷モードの切り換え等を行うことができる。第１〜第３選択スイッチ２８ａ〜２８ｃは、後述する第１〜第３保存記憶部３４，３５，３６のいずれかの追加データの選択や、文字印刷と領域印刷の選択等を行うことができる。保存された追加データの選択時には、第１選択スイッチ２８ａが第１保存記憶部３４を、第２選択スイッチ２８ｂは第２保存記憶部３５を、第３選択スイッチ２８ｃは第３保存記憶部３６をそれぞれ選択するものとなる。
【００３２】
次に、印刷装置１の制御系を説明する。図２に示すように、操作パネル２４のスイッチ部２５の入力データや、紙検出部２２（入口側紙センサ３、加圧タイミング用紙センサ６、出口側紙センサ１０）のセンサ出力は制御部２１に出力され、この制御部２１はこれら入力データに基づいて上述したスキャナー部５、感熱ヘッド７、原稿搬送部２０、リボン搬送部２３等を制御すると共に、操作パネル２４の表示部２６への表示を制御する。
【００３３】
制御部２１は、比較回路２９と領域特定部３０をそれぞれ制御する。比較回路２９は、第１画像データと第２画像データとを比較し、この比較によって異なった画像データの部分を追加データとして出力する。領域特定部３０は、追加データの部分をカバーする領域を特定し、この特定した領域をベタデータとする領域データを出力する。追加データの部分をカバーする領域は、追加データの主走査方向及び副走査方向を共に若干だけ広げた領域、または、主走査方向は若干だけ広げたデータとし、副走査方向は異なった点から異なった点までとその外側に若干だけ広げたデータとする領域を算出することによって特定される。
【００３４】
また、制御部２１は、ベース記憶部３１、追加データ用記憶部３２、領域用記憶部３３、第１〜第３保存記憶部３４，３５，３６の各記憶部の書き込み及び読み出しを制御する。また、第１〜第３保存記憶部３４，３５，３６は、追加データ用記憶部３２と同じ追加データを記憶するものである。
【００３５】
制御部２１は、各種プログラムが格納されている記憶部（図示せず）を内蔵し、例えば図４及び図５に示すフローを実行する。
【００３６】
次に、上記印刷装置１の作用を説明する。図１５に示すように招待者欄が空欄の御招待券Ｐ１に、図１６に示すように招待者欄に会社名及び担当者名を記載した御招待券Ｐ２と同一のものを得る場合を例に説明する。つまり、追加書き込み前の原稿が図１５の御招待券Ｐ１であり、追加書き込みした後の原稿が図１６の御招待券Ｐ２であり、図１６のものと同じ御招待券を追加印刷で得る例である。
【００３７】
先ず、印刷装置１の電源がオンされ、所定の初期設定動作が完了すると、動作待機状態となる。この動作待機状態では、操作パネル２４の表示部２６には図６の表示内容が表示される。ユーザは、操作パネル２４のモード切替スイッチ２７を押下して読み取りモードを選択する（ステップＳ１）。読み取りモードが選択されると、表示部２６の表示内容が図７に示す表示内容に切り換わる。
【００３８】
次に、ユーザは、図１５に示す追加書き込み前の御招待券Ｐ１を印刷装置１に挿入する。すると、挿入された御招待券Ｐ１の先端を入口側紙センサ３が検出し、入口側搬送ロール４が回転駆動して御招待券Ｐ１が下流側に搬送される。この搬送過程でスキャナー部５が御招待券Ｐ１を読み取り（ステップＳ２）、この読み取った第１画像データをベース記憶部３１に記憶する（ステップＳ３）。
【００３９】
スキャナー部５を通過した御招待券Ｐ１は、その後も入口側搬送ロール４及び出口側搬送ロール９の回転によって原稿搬送経路２上を下流側に搬送される。そして、御招待券Ｐ１の後端を出口側紙センサ１０が検出すると、入口側搬送ロール４及び出口側搬送ロール９の回転駆動が停止される。これで、書き込み前の御招待券Ｐ１の読み取り動作が完了する。尚、御招待券Ｐ１の搬送にプラテンロール８を利用しても良い。
【００４０】
追加書き込み前の御招待券Ｐ１の読み込みが完了すると、表示部２６の表示内容が図８に示す表示内容に切り換わる。
【００４１】
次に、ユーザは、図１５の御招待券Ｐ１に追加書き込みを行い、図１６に示す追加書き込みした御招待券Ｐ２を印刷装置１に挿入する。すると、挿入された御招待券Ｐ２の先端を入口側紙センサ３が検出し、入口側搬送ロール４が回転駆動して御招待券Ｐ２が下流側に搬送される。この搬送過程でスキャナー部５が御招待券Ｐ２を読み取り（ステップＳ４）、この読み取った第２画像データを領域用記憶部３３に記憶する（ステップＳ５）。
【００４２】
スキャナー部５を通過した御招待券Ｐ２は、その後も入口側搬送ロール４及び出口側搬送ロール９の回転によって原稿搬送経路２上を下流側に搬送される。そして、御招待券Ｐ２の後端を出口側紙センサ１０が検出すると、入口側搬送ロール４及び出口側搬送ロール９の回転駆動が停止される。これで、追加書き込み後の御招待券Ｐ２の読み取り動作が完了する。尚、御招待券Ｐ２の搬送にプラテンロール８を利用しても良い。
【００４３】
追加書き込み後の御招待券Ｐ２の読み取りが完了すると、ベース記憶部３１の第１画像データと領域用記憶部３３の第２画像データとを比較回路２９に転送し、比較回路２９が双方の画像データの異なる部分を追加データとして抽出し、この追加データを追加データ用記憶部３２に記憶する（ステップＳ６）。また、上記追加データを領域特定部３０に転送し、領域特定部３０が追加データの主走査方向及び副走査方向に規定値を追加した領域を特定し、この領域を全てベタデータとする領域データを作成し、この領域データが領域用記憶部３３に転送され、ここに記憶させる（ステップＳ７）。領域用記憶部３３の格納データは、第２画像データより領域データに更新される。
【００４４】
ベース記憶部３１に第１画像データが、追加データ用記憶部３２に追加データが、領域用記憶部３３に領域データがそれぞれ得られると、表示部２６の表示内容が図９に示す表示内容に切り換わる。
【００４５】
追加データを保存したい場合には、ユーザが第１〜第３選択スイッチ２８ａ〜２８ｃのいずれかを押下する（ステップＳ８）。すると、追加データ用記憶部３２の追加データが指定された第１〜第３保存記憶部３４，３５，３６の１つに転送され、ここに記憶される（ステップＳ９）。その後に、ユーザはモード切替スイッチ２７を押下して印刷モードを選択する（ステップＳ１０）。
【００４６】
追加データを転送保存しない場合には、ユーザは第１〜第３選択スイッチ２８ａ〜２８ｃを押下せずにモード切替スイッチ２７を押下して印刷モードを選択する（ステップＳ１０）。印刷モードが選択されると、表示部２６の表示内容が図１０に示す表示内容に切り換わる。
【００４７】
次に、ユーザは、上述の読み取りした追加データ（現行の追加データ）による追加印刷と既に読み取りした追加データによる追加印刷とのいずれかを選択する。現行の追加データを選択する場合には、現行の追加データを変更しない旨の操作を行う（ステップＳ１１）。すると、表示部２６の表示内容が図１１に示す表示内容に切り換わる。
【００４８】
次に、ユーザは、文字印刷と領域印刷とのいずれかを選択する（ステップ１４，Ｓ１５）。文字印刷を選択する場合には、図１５に示す追加書き込み前の御招待券Ｐ１を印刷装置１に挿入する。すると、挿入された御招待券Ｐ１の先端を入口側紙センサ３が検出し、入口側搬送ロール４が回転駆動して御招待券Ｐ１が下流側に搬送される。御招待券Ｐ１の先端を加圧タイミング用紙センサ６が検出する検出時点を基準として御招待券Ｐ１の先端が感熱ヘッド７とプラテンロール８の間の位置に搬送されるタイミングを決定し、このタイミングで感熱ヘッド７が待機位置から加圧位置に変移されると共にプラテンロール８の回転駆動が開始される。また、巻取リール１４が回転駆動してインクリボン１２の移動が開始される。この加圧搬送過程において、御招待券Ｐ１に追加データ用記憶部３２の追加データに基づく文字印刷が行われる。文字印刷の位置及び内容は、図１７に示す位置及び内容であり、この追加印刷によって、図１６と同じ内容の御招待券が得られる。以下、追加印刷されたものも御招待券Ｐ２として説明する。
【００４９】
また、加圧タイミング用紙センサ６が御招待券Ｐ２の搬送後端を検出すると、この検出時点を基準として御招待券Ｐ２の後端が感熱ヘッド７とプラテンロール８との間を通過するタイミングで感熱ヘッド７が待機位置に変移され、且つ、プラテンロール８の回転駆動が停止される。また、巻取リール１４の回転駆動も停止され、インクリボン１２の移動が停止される。これらの動作以降も、入口側搬送ロール４及び出口側搬送ロール９の回転駆動が続けられ、御招待券Ｐ２は下流側に搬送される。そして、御招待券Ｐ２の後端を出口側紙センサ１０が検出すると、入口側搬送ロール４及び出口側搬送ロール９の回転駆動が停止される。これで、文字印刷動作が完了する（ステップＳ１６）。
【００５０】
次に、ユーザが御招待券Ｐ２の招待者欄に領域印刷（オーバーコーティング層印刷）する場合には、第２選択スイッチ２８ｂを押下する（ステップＳ１５）。すると、表示部２６の表示内容が図１２に示す表示内容に切り換わる。
【００５１】
ユーザは、リボンカセット１１を透過性インクのリボンカセットに交換した後に、図１６に示す追加書き込み後の御招待券Ｐ２を印刷装置１に挿入する。すると、挿入された御招待券Ｐ２の先端を入口側紙センサ３が検出し、入口側搬送ロール４が回転駆動して御招待券Ｐ２が下流側に搬送される。加圧タイミング用紙センサ６が御招待券Ｐ２の先端を加圧タイミング用紙センサ５が検出する検出時点を基準として御招待券Ｐ２の先端が感熱ヘッド７とプラテンロール８の間の位置に搬送されるタイミングを決定し、このタイミングで感熱ヘッド７が待機位置から加圧位置に変移されると共にプラテンロール８の回転駆動が開始される。また、巻取リール１６が回転駆動して透過性インクリボンの移動が開始される。この加圧搬送過程において、御招待券Ｐ２に領域用記憶部３３の領域データに基づく領域印刷が行われる。領域印刷の位置及び内容は、図１７にて仮想線で囲んだエリアＥであり、このエリアＥに透過性インクが印刷される。これにより、招待者欄（エリアＥ）が透過性インクのオーバーコーティング層によって被われ、保護された御招待券Ｐ２が得られる。
【００５２】
また、加圧タイミング用紙センサ６が御招待券Ｐ２の搬送後端を検出すると、この検出時点を基準として御招待券Ｐ２の後端が感熱ヘッド７とプラテンロール８との間を通過するタイミングで感熱ヘッド７が待機位置に変移され、且つ、プラテンロール８の回転駆動が停止される。また、巻取リール１４の回転駆動も停止され、インクリボン１２の移動が停止される。これらの動作以降も、入口側搬送ロール４及び出口側搬送ロール９の回転駆動が続けられ、御招待券Ｐ２は下流側に搬送される。そして、御招待券Ｐ２の後端を出口側紙センサ１０が検出すると、入口側搬送ロール４及び出口側搬送ロール９の回転駆動が停止される。これで、領域印刷動作が完了する（ステップＳ１７）。
【００５３】
一方、印刷モードの選択後に、現行の追加データではなく、既に読み取りした追加データによる追加印刷を選択する場合には、第１〜第３選択スイッチ２８ａ〜２８ｃのいずれかを押下する（ステップＳ１１）。第１選択スイッチ２８ａを押下したとすると、表示部２６の表示内容が図１３に示す表示内容に切り換わる。そして、指定された第１保存記憶部３４から追加データが追加データ用記憶部３２に転送され、ここに記憶される（ステップＳ１２）。また、追加データが領域特定部３０にも転送され、領域特定部３０によって領域用データが作成される。この領域用データが領域用記憶部３３に転送され、ここに記憶される（ステップＳ１３）。つまり、追加データ用記憶部３２及び領域用記憶部３３の記憶内容が更新される。
【００５４】
次に、ユーザは、文字印刷と領域印刷とのいずれかを選択する（ステップ１４，Ｓ１５）。文字印刷を選択する場合には、この追加データを印刷する追加書き込み前の原稿を印刷装置１に挿入する。その後の文字印刷動作は、上述したものと同様であるため省略する。
【００５５】
また、領域印刷（オーバーコーティング層印刷）を選択する場合には、第２選択スイッチ２８ｂを押下する（ステップＳ１５）。すると、表示部２６の表示内容が図１４に示す表示内容に切り換わる。この領域データを印刷する追加書き込み後の原稿を印刷装置１に挿入する。その後の領域印刷動作は、上述したものと同様であるため省略する。
【００５６】
以上、上記印刷装置１では、追加書き込み前の原稿をスキャナー部５で読み取らせて第１画像データを得ると共に、追加書き込みを行った原稿をスキャナー部５で読み取らせて第２画像データを得て、この双方の画像データの比較によって追加データを抽出し、追加印刷したい原稿に対して上記追加データに基づく画像印刷を行うことができる。従って、２回の読み取り動作を行えば、追加印刷したい原稿に何度でも追加書き込みした部分を印刷できる。以上より、原稿等の加工及びコンピュータでのデータ加工・編集が必要なく、追加印刷したい原稿に対し非常に簡単に追加印刷できる。
【００５７】
上記実施形態では、第１画像データと前記第２画像データとを比較し、異なった画像データの部分をカバーする領域を特定し、この特定した領域データを領域用記憶部３３に記憶し、この記憶した領域データに基づいて特定した領域に光透過性インクによる領域印刷を行うことができるので、追加印刷した部分を透過性インクの層によって被うことができる。従って、追加印刷した部分の耐光性、耐水性等が向上する。例えば、捺印部分や葉書・封書の宛先部分の保護に有効である。
【００５８】
上記実施形態では、ユーザが文字印刷と領域印刷とを選択できるので、ユーザが作業手順を自由に選択できる。つまり、多数の原稿に対して１枚ずつ文字印刷と領域印刷を連続して行って原稿を１枚ずつ仕上げても良いし、多数の原稿に対し文字印刷のみを全部行い、その後に領域印刷を順次行うこともできる。又、領域印刷が必要ない場合には、文字印刷のみを行うこともできる。
【００５９】
上記実施形態では、追加データ用記憶部３２の他に、追加データを記憶できる第１〜第３保存記憶部３４，３５，３６を有するので、一度に４つの追加データを保持できる。上記実施形態では、３つの保存記憶部３４，３５，３６を有するが、保存記憶部は１つでも、２つでも、又は、４つ以上設けても良い。
【００６０】
上記実施形態では、追加データ用記憶部３２及び第１〜第３保存記憶部３４，３５，３６の中から印刷に使用する追加データを選択できるので、複数の追加データより所望の追加データを選択して追加印刷できる。例えば、任意の追加データに対し追加印刷のし忘れ等があっても追加印刷動作のみで対応できるため、作業性の向上になる。
【００６１】
上記実施形態では、追加データより領域データを特定する領域特定部３０を有するので、追加データを保存しておけば、保存された追加データより領域を特定できるため、追加データの他に領域データ自体を保存する記憶部を別途設ける必要がない。尚、領域データ自体を保存する記憶部を設けても良いことはもちろんである。
【００６２】
上記実施形態では、スキャナー部５で読み取った第２画像データを領域用記憶部３３に一時的に記憶するので、第２画像データを一時的に記憶する記憶部を省略できる。従って、印刷装置１のシンプル化、低コスト化に寄与する。尚、第２画像を記憶する記憶部を設けても良いことはもちろんである。
【００６３】
尚、上記実施形態では、入口側搬送ロール４と出口側搬送ロール９を連動させて回転駆動しているが、入口側搬送ロール４と出口側搬送ロール９の回転駆動を別個独立に制御しても良い。
【００６４】
【発明の効果】
以上説明したように、請求項１の発明によれば、原稿の画像を読み取るスキャナー部を有し、このスキャナー部で読み取った第１画像データと第２画像データとを比較し、この比較によって異なった画像データの部分を追加データとして追加データ用記憶部に記憶し、この記憶した追加データに基づいて画像印刷を行うので、追加書き込み前の原稿をスキャナー部で読み取らせて第１画像データを得ると共に、追加書き込みを行った原稿をスキャナー部で読み取らせて第２画像データを得て、この双方の画像データの比較によって追加データを抽出し、追加印刷したい原稿に対して上記追加データに基づく画像印刷を行うことができる。従って、２回の読み取り動作を行えば、追加印刷したい原稿に何度でも追加書き込みした部分を印刷できる。以上より、原稿等の加工及びコンピュータでのデータ加工・編集が必要なく、追加印刷したい原稿に対して非常に簡単に追加印刷できる。
【００６５】
請求項２の発明によれば、第１画像データと第２画像データとを比較し、異なった画像データの部分をカバーする領域を特定し、この特定した領域データを領域用記憶部に記憶し、この記憶した領域データに基づいて特定した領域に光透過性インクによる領域印刷を行うことができるので、追加印刷した部分を透過性インクの層によって被うことができる。従って、追加印刷した部分の耐光性、耐水性等が向上する。例えば捺印部分や葉書・封書の宛先部分の保護に有効である。
【００６６】
請求項３の発明によれば、画像印刷と領域印刷とを選択できるので、ユーザが作業手順を自由に選択できる。つまり、多数の原稿に対して１枚ずつ画像印刷と領域印刷を連続して行って原稿を１枚ずつ仕上げても良いし、多数の原稿に対し画像印刷のみを全部行い、その後に領域印刷を順次行うこともできる。また、領域印刷が必要ない場合には、画像印刷のみを行うこともできる。
【００６７】
請求項４の発明によれば、追加データ用記憶部の他に、追加データを記憶できる保存記憶部を有するので、一度に複数の追加データを保持できる。
【００６８】
請求項５の発明によれば、追加データ記憶部及び保存記憶部の中から印刷に使用する追加データを選択できるので、複数の追加データより所望の追加データを選択して追加印刷できる。例えば、任意の追加データに対し追加印刷のし忘れ等があっても追加印刷動作のみで対応できるため、作業性の向上になる。
【００６９】
請求項６の発明によれば、追加データより領域データを特定する領域特定部を有するので、追加データを保存しておけば、保存された追加データより領域を特定できるため、追加データの他に領域データ自体を保存する記憶部を別途設ける必要がない。
【００７０】
請求項７の発明によれば、スキャナー部で読み取った第２画像データを領域用記憶部に一時的に記憶するので、第２画像データを一時的に記憶する記憶部を省略できる。従って、印刷装置のシンプル化、低コスト化に寄与する。
【図面の簡単な説明】
【図１】本発明の一実施形態を示し、印刷装置の概略構成図である。
【図２】本発明の一実施形態を示し、印刷装置の回路ブロック図である。
【図３】本発明の一実施形態を示し、操作パネルの正面図である。
【図４】本発明の一実施形態を示し、データの読み取りモードのフローチャートである。
【図５】本発明の一実施形態を示し、印刷モードのフローチャートである。
【図６】本発明の一実施形態を示し、読み取り動作時のある状態における表示部の表示内容を示す図である。
【図７】本発明の一実施形態を示し、読み取り動作時のある状態における表示部の表示内容を示す図である。
【図８】本発明の一実施形態を示し、読み取り動作時のある状態における表示部の表示内容を示す図である。
【図９】本発明の一実施形態を示し、読み取り動作時のある状態における表示部の表示内容を示す図である。
【図１０】本発明の一実施形態を示し、印刷動作時のある状態における表示部の表示内容を示す図である。
【図１１】本発明の一実施形態を示し、印刷動作時のある状態における表示部の表示内容を示す図である。
【図１２】本発明の一実施形態を示し、印刷動作時のある状態における表示部の表示内容を示す図である。
【図１３】本発明の一実施形態を示し、印刷動作時のある状態における表示部の表示内容を示す図である。
【図１４】本発明の一実施形態を示し、印刷動作時のある状態における表示部の表示内容を示す図である。
【図１５】本発明の一実施形態を示し、追加書き込み前の原稿の正面図である。
【図１６】本発明の一実施形態を示し、追加書き込みした後の原稿の正面図である。
【図１７】本発明の一実施形態を示し、追加データの内容を示す図である。
【符号の説明】
１  印刷装置
５  スキャナー部
２９  比較回路
３０  領域特定部
３２  追加データ用記憶部
３３  領域用記憶部
３４  第１保存記憶部
３５  第２保存記憶部
３６  第３保存記憶部
Ｐ１  追加書き込み前の御招待券（追加書き込み前の原稿）
Ｐ２  追加書き込みした後の御招待券（追加書き込みした後の原稿）
【図１】
2004242002.tif 000003
【図２】
2004242002.tif 000004
【図３】
2004242002.tif 000005
【図４】
2004242002.tif 000006
【図５】
2004242002.tif 000007
【図６】
2004242002.tif 000008
【図７】
2004242002.tif 000009
【図８】
2004242002.tif 000010
【図９】
2004242002.tif 000011
【図１０】
2004242002.tif 000012
【図１１】
2004242002.tif 000013
【図１２】
2004242002.tif 000014
【図１３】
2004242002.tif 000015
【図１４】
2004242002.tif 000016
【図１５】
2004242002.tif 000017
【図１６】
2004242002.tif 000018
【図１７】
2004242002.tif 000019